(57)【特許請求の範囲】
【請求項１】
照明負荷を囲んでいる密閉体であり、前記密閉体は密閉体の内部にアクセスするためのパネルを有し、前記パネルは閉鎖位置と少なくとも一つの開放位置とを有し、
前記閉鎖位置へ又は前記閉鎖位置からのパネルの動きによって無線信号を送信するために作動される自己作動型スイッチと、
前記自己作動スイッチからの前記無線信号に応じて電力供給部に照明負荷を選択的に結合するために操作可能な受信器と
を備え、
前記密閉体はキャビネットであり、前記パネルはキャビネット扉であり、さらに前記自己作動型スイッチは前記キャビネット扉のヒンジに結合され、さらにキャビネット扉を開放又は閉鎖することによって作動され、
前記自己作動型スイッチは前記無線信号を送信するためにエネルギーハーベスターと、さらに、前記エネルギーハーベスターを作動するためのスプリングを含む無線照明システム。
【請求項２】
前記キャビネット扉が開放されると前記自己作動型スイッチは、前記スプリングの圧縮を解放して前記エネルギーハーベスターの作動に基づいて第１の無線信号を前記受信器に送信し、前記受信器は前記第１の無線信号に応じて前記照明負荷を前記電力供給部に結合して前記照明負荷をオンにする請求項１記載の無線照明システム。
【請求項３】
前記キャビネット扉が閉鎖されると前記自己作動型スイッチは、前記スプリングを圧縮して前記エネルギーハーベスターの作動に基づいて前記第１の無線信号とは異なる第２の無線信号を前記受信器に送信し、前記受信器は前記第２の無線信号に応じて前記照明負荷を前記電力供給部から切り離して前記照明負荷をオフにする請求項１又は２記載の無線照明システム。
【発明の詳細な説明】
【技術分野】
【０００１】
（関連出願の説明）
本願は、２００７年８月５日に提出された米国仮出願番号60/954,007の優先権を主張する。
【０００２】
本願は、無線スイッチングコンセプトに関し、さらに詳しくは、自己作動(self-energizing）でもある無線スイッチ用アプリケーション（適用、応用）に関する。
【０００３】
台所のような部屋は、様々な物を収納するために用いられるキャビネット、引き出し、及びパントリーのような密閉体（enclosure）を備えている。これらの密閉体のいくつかは照明を用いるが、照明をオン及びオフするには、手動で密閉体にアクセスすることに加え、手動でスイッチを作動することを要求している。
【発明の概要】
【０００４】
無線照明システムは、照明負荷を含む密閉体を備える。密閉体は、密閉体の内部にアクセスするために移動可能なパネルを有し、そのパネルはひとつの閉鎖位置と少なくともひとつの開放位置を持つ。無線照明システムは、前記パネルの閉鎖位置への又は閉鎖位置からの動きによって無線信号を伝送するために作動される自己作動スイッチをも備える。受信機は、前記自己作動スイッチからの信号に応じて照明負荷を電力供給部に選択的に接続するために動作される。
【０００５】
本発明のこれらの及び他の特徴は、以下の明細書及び、以下に簡単に説明される図面から正しく理解される。
【図面の簡単な説明】
【０００６】
【図１】一具体例の無線スイッチングアプリケーションを概略的に示す図である。
【図１ａ】図１の自己作動スイッチの拡大図である。
【図２】台所の複数の無線スイッチングアプリケーションを概略的に示す図である。
【図３ａ】第１の自己作動ヒンジスイッチの第１の外観を概略的に示す図である。
【図３ｂ】図３ａの前記自己作動ヒンジスイッチの第２の外観を概略的に示す図である。
【図４ａ】第２の自己作動ヒンジスイッチの第１の外観を概略的に示す図である。
【図４ｂ】図４ａの前記自己作動ヒンジスイッチの第２の外観を概略的に示す図である。
【図５ａ】閉鎖位置における図２の引き出しスイッチを概略的に示す図である。
【図５ｂ】開放位置における引き出しスイッチを概略的に示す図である。
【発明を実施するための形態】
【０００７】
図１は、一具体例の無線スイッチングアプリケーション（適用、応用）１０を概略的に示す図である。自己作動スイッチ１２は、プログラマブル受信器１４と無線での通信を可能としている。一具体例にあって、無線通信は、高周波（”RF”）を通して行われる。図１ａの拡大概略図に示されるように、スイッチ１２はエネルギーハーベスター１３及び無線信号の送信を操作可能とする送信器１５を備える。エネルギーハーベスター１３は、スイッチを操作する人、又は光電池のような外部源からのエネルギーを取り入れることを操作可能とする。この明細書を通して、語句「自己作動スイッチ」は、外部源からのエネルギーを取り入れるための操作を可能とするスイッチに関する。一具体例にあって、前記自己作動スイッチは、無電池型である。他の具現化例にあって、スイッチ１２は上部１２ａ及び下部１２ｂを有し、さらに、上部１２ａが押されると、前記スイッチ１２はオン信号を送り、下部１２ｂが押されると、前記スイッチ１２はオフ信号を送る。受信器１４は照明負荷１６ａ,１６ｂを電力供給部２０に、スイッチ１２からの信号に応じて選択的に接続するように操作可能とされる。例えば、受信器１４は負荷１６ａ及び１６ｂを、スイッチ１２からの信号に応じて、個別に又は一緒に、オン又はオフするように個別にプログラムされる。
【０００８】
自己作動スイッチの一例は、EnOceanの製品番号PTM250が使用可能であり、さらに受信器の一例はEnOceanの製品番号PCM130Cが使用可能である。図１に示す受信器１４はマルチチャンネル受信器であるが、受信器１４は単一チャンネル受信器であり、さらに二つ以上のアイテムに結合できることが理解できる。マルチプル受信器はスイッチングアプリケーション１０内にて用いられることも理解できる。
【０００９】
図２は、台所２０内の複数の無線スイッチングアプリケーションを概略的に示す。台所２０は、複数のキャビネット２２ａ，２２ｂ，２２ｃを有し、さらに各キャビネットは、付随するパネル２３ａ，２３ｂ，２３ｃを有する。パネル２３ａ，２３ｂ，２３ｃは、付随されるキャビネット内の収納物にアクセスできるように移動可能である。各キャビネットは、また少なくとも一つの自己作動するヒンジスイッチ２４ａ，２４ｂ，２４ｃをも備える。冷蔵庫２５用の冷蔵庫扉２６は、自己作動するヒンジスイッチ２４ｄを備え、さらにパントリー２７用の扉２８は自己作動するヒンジスイッチ２４ｅを備える。台所は、引き出し密閉体３０及び、引き出し密閉体３０内に移動可能な引き出し３２をさらに備える。引き出し３０は、自己作動する引き出しスイッチ３４を備える。複数のスイッチ２４ａ-ｅは、無線信号を受信器３６に送信するように全て操作可能である。
【００１０】
受信器３６は、キャビネット照明３９、引き出し照明４０、天井照明４２、及びパントリー照明４６に電気的に接続され、さらに照明３８，４０，４２，及び４６をスイッチ２４ａ-ｅ，３４からの信号に応じて電力供給部４４に選択的に接続するように操作可能である。各キャビネット２２ａ，２２ｂ，２２ｃ，扉２６，２８，及び引き出し３２は、開放及び閉鎖位置を有する。例えば、キャビネット２２ａを用いて説明すると、パネル２３ａを閉鎖位置から開放することは、無線信号を受信器３６に送信するためにヒンジスイッチ２４ａを作動させる。受信器３６は、信号を処理するためにソフトウェアを用い、さらにその信号に応じてキャビネット照明３９を選択的にオンする。パネル２３ａが閉鎖されると、ヒンジスイッチ２４ａは作動され、さらに信号が受信器３６に送信され、それによってキャビネット照明３９がオフされる。もちろん、受信器３６は、前記信号に応じて他の動作を実行するためにプログラムされてもよい。キャビネット２２ｂ及び２２ｃは、同様の様式にて動作するので、受信器は開放位置に応じて照明をオンにし、閉鎖位置に応じて照明をオフにする。
【００１１】
パントリー扉２８が開放すると、スイッチ２４ｅは信号を受信器３６に送信し、さらに受信器３６はパントリー照明４６をオンする。パントリー扉２８が閉鎖すると、スイッチ２４ｅは信号を受信器３６に送信し、さらに受信器３６はパントリー照明４６をオフする。さらに、引き出し３２が開放すると、スイッチ３４は信号を受信器３６に送信し、受信器３６は引き出し照明４０をオンする。引き出し３２が閉鎖すると、スイッチ３４は信号を受信器３６に送信し、受信器３６は引き出し照明４０をオフする。図２の具体例は、変更も可能であるので、パントリー照明４６は、アティック、屋根裏部屋、又は家の他の部分の照明に置き換えられる。同様に、冷蔵庫扉２６を開放することは、ヒンジスイッチ２４ｄに信号を受信器３６へ送信させる。受信器３６は、そののち、信号を処理するためにソフトウェアを用いることができ、さらに天井照明４２をオンするためのように、通知を発行することもできる。
【００１２】
他の具体例にあっては、キャビネット扉２３ａのようなヒンジ扉は、部分的にのみ閉鎖される、すると、受信器３６は、ヒンジスイッチ２４ａのようなヒンジスイッチからの信号に応じて、音、照明のフラッシュ、照明のオン、又は照明のオフのような、通知を発行する。
【００１３】
自己作動スイッチは、ヒンジスイッチを形成するためにヒンジ内に形成されるので、ヒンジの動きは、受信器３６のような受信器に無線信号を送信するためのヒンジスイッチを可能とするようにエネルギーを得るために用いられる。図３ａは、具体例であるキャビネット用の自己作動スイッチ２４ａの第１の外観を概略的に表している。スイッチ２４ａは、エネルギーハーベスター１００ａ及びこのエネルギーハーベスター１００ａに結合されるスプリング１０２ａを備える。ヒンジスイッチ２４ａが開放されると、図２の受信器３６のような、受信器に信号を送信するためにヒンジスイッチ２４ａが用いる電流を発生するためにエネルギーハーベスター１００ａを作動させるべく、スプリング１０２ａは解放される。ヒンジスイッチ２４ａが閉鎖されると、受信器３６へ信号を選択的に送信できる、ヒンジスイッチ２４ａへ電力を供給するためにエネルギーハーベスター１００ａを作動させるべく、スプリング１０２ａは圧縮される。図３ｂは具体的なヒンジスイッチ２４ａの第２の外観を概略的に表す。
【００１４】
図４ａは、扉用自己作動ヒンジスイッチ２４ｅの第１の外観を概略的に表している。ヒンジスイッチ２４ｅは、エネルギーハーベスター１００ｂ及びこのエネルギーハーベスター１００ｂに接続されるスプリング１０２ｂを備える。ヒンジスイッチ２４ｅは、ピン１０４を中心に回転する。ヒンジスイッチ２４ｅが開放されると、ヒンジスイッチ２４ｅが図２の受信器３６のような受信器に信号を送信するために用いる電流を発生するためにエネルギーハーベスター１００ｂを作動するべく、スプリング１０２ｂは解放される。ヒンジスイッチ２４ｅが閉鎖されると、受信器３６に他の信号を送信するためにエネルギーハーベスター１００を作動させるべく、スプリング１０２ｂが圧縮される。図４ｂは具体的なスイッチ２４ｅの第２の外観を概略的に表す。他の例にあって、エネルギーハーベスター１００ｂはピン１０４内に形成される。そのような具体例にあって、既存のヒンジは、ヒンジ内のピンを単純に置き換えることによってヒンジスイッチ内に改造されることができる。図３ａ，３ｂ，４ａ及び４ｂの概略的な表示は具体例のみであること、他の複数のヒンジスイッチが用いられることが理解される。
【００１５】
図５ａは、閉鎖位置における図２の引き出しスイッチ３４を概略的に示す。引き出しスイッチ２４０は、エネルギーハーベスター１００ｃ、移動可能なアーム１１０、及びスプリング１１４を備える。引き出し３２は、拡張部１１２を備える。引き出し３２が閉鎖位置にあると、拡張部１１２は移動可能アーム１１０を引っ込んだ位置に保つ。図５ｂは、開放位置における引き出しスイッチ３４を概略的に表示する。引き出し３２が開放されると、エネルギーハーベスター１００ｃを作動するスプリング１１４が解放される。同様に、引き出し３２が閉鎖されると、拡張部１１０はエネルギーハーベスター１００ｃを作動するスプリング１１４を圧縮する。エネルギーハーベスター１００ｃが作動されると、エネルギーハーベスター１００ｃは引き出しスイッチ３４が図２の受信器３６のような、受信器に信号を送信するために用いるエネルギーを取り入れる。上述したように、受信器３６は、引き出し３２が開放されると、照明４０をオンするようにプログラムされ、さらに引き出し３２が閉鎖されると照明４０をオフするようにプログラムされる。
【００１６】
本発明の好ましい具現化例を開示したが、当業者は本発明の範囲内である程度の改良が行われることを理解できる。そのために、以下の請求項は本発明の範囲及び内容を判断するために検証される。
【図１】
0005688490.tif 000002
【図１ａ】
0005688490.tif 000003
【図２】
0005688490.tif 000004
【図３ａ】
0005688490.tif 000005
【図３ｂ】
0005688490.tif 000006
【図４ａ】
0005688490.tif 000007
【図４ｂ】
0005688490.tif 000008
【図５ａ】
0005688490.tif 000009
【図５ｂ】
0005688490.tif 000010